(57)【要約】【課題】  簡易な操作で任意の頁画像を表示する。【解決手段】  予め定められた領域２４を所定方向にスライド可能な頁指示用スライドボタン２２を電子ブック１０に設けて、この頁指示用スライドボタン２２が領域２４がスライドされた位置に応じた表示頁の頁画像を第１の表示部３０及び第２の表示部３２へ表示するので、ユーザの指定する任意の頁の頁画像を容易に表示することができ、あたかも書籍の頁をめくっているかのような操作感を提供することができる。【選択図】        図３
2006113345.tif 000002
【特許請求の範囲】
【請求項１】
複数頁の頁データを含む画像データを記憶した記憶手段と、
前記頁データに基づいた頁画像を表示する表示手段と、
操作することによって所定方向にスライド可能に設けられ、スライドさせた位置に応じて表示頁を指定する指定手段と、
前記記憶手段に記憶された頁データに基づいて、前記指定手段によって指定された表示頁に対応する頁画像を前記表示手段に表示するように制御する制御手段と、
を備えた電子ブック。
【請求項２】
複数頁の頁データを含む画像データを記憶した記憶手段と、
前記頁データに基づいた頁画像を表示する第１の表示手段と、
前記第１の表示手段と異なる前記頁データに基づいた頁画像を表示する第２の表示手段と、
操作することによって所定方向にスライド可能に設けられ、スライドさせた位置に応じて表示頁を指定する指定手段と、
前記第１の表示手段及び前記第２の表示手段の何れか一方に表示された頁画像の保持を指示する画面保持手段と、
前記画面保持手段による頁画像の保持が指示されていないときには、前記記憶手段に記憶された頁データに基づいて、前記指定手段によって指定された表示頁及び該表示頁に連続する表示頁に対応する頁画像各々を前記第１の表示手段及び第２の表示手段の各々に表示するように制御し、前記画面保持手段によって頁画像の保持が指示されたときには、前記第１の表示手段及び前記第２の表示手段の何れか一方に表示されている頁画像が変更されないように制御すると共に、前記記憶手段に記憶された頁データに基づいて、前記指定手段によって指定された頁に対応する頁画像を前記第１の表示手段及び前記第２の表示手段の他方に表示するように制御する制御手段と、
を備えた電子ブック。
【発明の詳細な説明】
【技術分野】
【０００１】
本発明は電子ブックに係り、特に、携帯可能な電子ブックに関する。
【背景技術】
【０００２】
従来より、電子ブックと呼ばれる携帯可能な電子表示装置が知られている。このような電子ブックは、記録媒体に予め記録された、書籍の文字及び画像等の各種情報を表示画面に表示するので、書籍を読む感覚で文字情報や画像情報を閲覧することが可能となっている。
【０００３】
このような電子ブックにおいて、表示された画像を次頁の画像または前頁の画像へ変更するために、あたかも本を持った状態で頁を順次めくるかのような操作感を提供する技術が知られている（例えば、特許文献１及び特許文献２参照）。
【０００４】
特許文献１の技術では、表示画面の下方に頁めくりスイッチを配置し、このスイッチが押圧操作される度に、押圧操作回数に応じて順次次頁の画像または前頁の画像を表示する。
【０００５】
特許文献２の技術では、電子ブックを書籍の形状を模して２画面表示とし、この２つの表示画面を回動可能な回動スイッチを介して接続する。この回動スイッチが所定角度以上回動した場合に、表示画面に次頁の画像または前頁の画像を表示する。このようにすることで、あたかも１頁ずつ頁をめくるかのような操作感を提供することができる。また、特許文献２の技術では、回動スイッチを所定の角度以上回動させた状態が所定時間以上持続したときに、予め定めた頁数先または後の頁画像を表示する。このようにすることにより予め定めた頁数分飛ばして頁をめくるかのような操作感を提供することができる。
【特許文献１】特開２００１―１０１２０２号公報（図１）
【特許文献２】特開２００３―１９６０１２号公報（７頁、１０頁、図１）
【発明の開示】
【発明が解決しようとする課題】
【０００６】
上記特許文献１の技術では、頁めくりスイッチの押圧操作により順次次頁または前頁の頁画像を表示することは可能であるが、任意のページ数だけ離れた頁の頁画像を表示するには、頁めくりスイッチの押圧操作を繰り返し実行する必要があった。また、特許文献２の技術では、予め定めたページ数先または後の頁の頁画像を表示することは可能であるが、回動スイッチが所定時間以上継続して回動されたときに移動する頁数が定められているので、ユーザの指定した任意の頁の頁画像を表示するには、所定時間以上の回動スイッチの回動と所定時間未満の回動とを組み合わせて操作する必要があった。
【０００７】
本発明は、上記問題点を解消するためになされたもので、任意の頁の頁画像を容易に表示可能な電子ブックを提供することを目的とする。
【課題を解決するための手段】
【０００８】
上記目的を達成するために第１の発明の電子ブックは、複数頁の頁データを含む画像データを記憶した記憶手段と、頁画像を表示する表示手段と、操作することによって所定方向にスライド可能に設けられ、スライドさせた位置に応じて表示頁を指定する指定手段と、前記記憶手段に記憶された頁データに基づいて、前記指定手段によって指定された頁に対応する頁画像を前記表示手段に表示するように制御する制御手段と、を備えている。
【０００９】
第１の発明の電子ブックの表示手段は、記憶手段に記憶されている画像データの複数頁の頁データに基づいて、頁データの頁画像を表示する。指定手段は、操作することによって所定方向にスライド可能に設けられており、スライドさせた位置に応じて表示手段に表示する表示頁を指定する。ユーザによって指定手段が所定方向にスライドされることで、表示手段に表示する表示頁が指定されると、制御手段は、記憶手段に記憶された頁データに基づいて、指定手段によって指定された表示頁に対応する頁画像を表示手段に表示するように制御する。
【００１０】
このように、所定方向にスライド可能な指定手段を電子ブックに設けて、この指定手段をスライドさせた位置に応じて指定された表示頁に対応する頁画像を表示手段に表示することができるので、ユーザが指定する頁の頁画像を表示することができる。
【００１１】
第２の発明の電子ブックは、複数頁の頁データを含む画像データを記憶した記憶手段と、前記頁データに基づいた頁画像を表示する第１の表示手段と、前記第１の表示手段と異なる前記頁データに基づいた頁画像を表示する第２の表示手段と、操作することによって所定方向にスライド可能に設けられ、スライドさせた位置に応じて表示頁を指定する指定手段と、前記第１の表示手段及び前記第２の表示手段の何れか一方に表示された頁画像の保持を指示する画面保持手段と、前記画面保持手段による頁画像の保持が指示されていないときには、前記記憶手段に記憶された頁データに基づいて、前記指定手段によって指定された表示頁及び該表示頁に連続する表示頁に対応する頁画像各々を前記第１の表示手段及び第２の表示手段の各々に表示するように制御し、前記画面保持手段によって頁画像の保持が指示されたときには、前記第１の表示手段及び前記第２の表示手段の何れか一方に表示されている頁画像が変更されないように制御すると共に、前記記憶手段に記憶された頁データに基づいて、前記指定手段によって指定された頁に対応する頁画像を前記第１の表示手段及び前記第２の表示手段の他方に表示するように制御する制御手段と、を備えている。
【００１２】
第２の発明の電子ブックは、頁画像を表示する第１の表示手段、及び第１の表示手段と異なる頁の頁画像を表示する第２の表示手段を備えている。制御手段は、画面保持手段によって頁画像の保持が指示されていないときには、指定手段によって指定された表示頁とこの表示頁に連続する表示頁に対応する頁画像各々を、第１の表示手段及び第２の表示手段各々に表示するように制御する。画面保持手段によって頁画像の保持が指示されたときには、制御手段は、第1の表示手段及び第２の表示手段の何れか一方に表示されている頁画像が変更されないように制御するとともに、第２の表示手段及び第２の表示手段の他方に指定手段によって指定された表示頁に対応する頁画像を表示するように制御する。
【００１３】
このように、画面保持手段によって、第１の表示手段及び第２の表示手段の何れか一方に表示された頁画像の保持が指示されたときには、指定手段をスライドさせた位置に応じた表示頁が指定された場合であっても、第１の表示手段及び第２の表示手段の何れか一方に表示された頁画像が変更されないように制御することができるので、第１の表示手段及び第２の表示手段の何れか一方が変更されないように制御したまま他方にユーザが指定する表示頁の頁画像を表示することができ、書籍の端を押さえつつ頁をめくったときと同様の操作感を提供することができる。
【発明の効果】
【００１４】
上記に示したように、第１の発明の電子ブックによれば、スライドさせた位置に応じて指定された表示頁に対応する頁画像を表示手段に表示することができるので、ユーザが指定する頁の頁画像を表示することができる、という効果が得られる。また、第２の発明の電子ブックによれば、第１の表示手段及び第２の表示手段の何れか一方に表示された頁画像が変更されないように制御したまま他方にユーザが指定する頁の頁画像を表示することができる、という効果が得られる。
【発明を実施するための最良の形態】
【００１５】
以下、本発明の電子ブックの一の実施の形態を図面に基づき説明する。
【００１６】
図１に示すように、本発明の電子ブック１０は、第１の部材１２及び第２の部材１４を備えている。第１の部材１２と第２の部材１４とは、ヒンジ部１６を介して連結されており、ヒンジ部１６を基軸として左右方向に見開くことができるように開閉可能に設けられている。電子ブック１０の側面には、半導体メモリ等の着脱可能な記録メディア２８を装着可能なスロット２６が設けられている。記録メディア２８には、複数頁の画像データや文字データ等の頁データを含む画像データが予め記憶されている。
【００１７】
第１の部材１２には、記録メディア２８に記録された頁データの頁画像を表示するための第１の表示部３０、及び第１の表示部３０に表示された頁画像が変更されないように頁画像の保持を指示するための画面保持ボタン１８が設けられている。第２の部材１４には、第１の表示部３０に表示される頁画像に連続する頁の頁画像を表示するための第２の表示部３２、第１の表示部３０に表示されている頁画像の保持を解除するための解除ボタン２０、及び縦長領域２４上をスライドさせた位置に応じて表示頁を指定するための頁指示用スライドボタン２２が設けられている。第１の表示部３０及び第２の表示部３２は、ＬＣＤや有機ＥＬディスプレイ等で構成することができる。頁指示用スライドボタン２２は、第２の表示部３２の近傍に表示部３２の側縁に沿って設けられた縦長領域２４上をヒンジ部１６の軸方向にスライド可能に設けられると共に、頁指示用スライドボタン２２のスライド量に応じて抵抗値が変化する可変抵抗で構成された頁指示位置検出部３４（図２参照）に取付けられており、頁指示用スライドボタン２２のスライド位置に応じて頁指示位置検出部３４から抵抗値に応じた信号が出力され、縦長領域２４上のヒンジ部１６の軸方向の一端から他端のどの位置に頁指示用スライドボタン２２が位置するかを検出可能に構成されている。
【００１８】
なお、縦長領域２４のヒンジ部１６の軸方向一端の位置に頁指示用スライドボタン２２が位置するときに頁指示位置検出部３４から出力される抵抗値に応じた信号は、記録メディア２８に記録されている画像データの複数頁の頁データの内の先頭頁に対応し、頁指示用スライドボタン２２が縦長領域２４のヒンジ部１６の軸方向一端から他端方向にスライドするほど、頁指示位置検出部３４から出力される信号は、スライド量に応じて先頭頁からカウントアップされた頁に対応し、頁指示用スライドボタン２２が縦長領域２４上のヒンジ部１６の軸方向他端に位置するときに出力される信号は、最終頁に対応する。
【００１９】
電子ブック１０内には、電子ブック１０内の各種デバイスを制御するためのマイクロコンピュータで構成された制御部３６が設けられている。図２に示すように、制御部３６には、第１の表示部３０、第２の表示部３２、画面保持ボタン１８、解除ボタン２０、頁指示位置検出部３４、及び記録メディア２８が、データを授受可能に接続されている。制御部３６の図示を省略したメモリには、後述する図３に示す処理ルーチン等の各種プログラムが記憶されている。
【００２０】
次に上記実施の形態に係る電子ブック１０に画像を表示する表示処理ルーチンについて説明する。
【００２１】
図示を省略した電源スイッチにより電子ブック１０に電源が投入されると、図３に示す処理ルーチンが実行されてステップ１００において画面保持ボタン１８が押圧操作されているか否かを判別する。
【００２２】
上記ステップ１００で否定されると、ステップ１２０において、指示位置検出部３４から出力された信号を取り込んで、ユーザによってスライドされた頁指示用スライドボタン２２の縦長領域２４上の位置を判断し、次のステップ１２２において、スライドされた位置に対応する表示頁の頁画像及びこの頁画像に連続する表示頁の頁画像の２頁分の頁画像を記録メディア２８から読込む。ステップ１２２の処理によって、頁指示用スライドボタン２２によって指定された表示頁に対応する頁画像が記録メディア２８から読込まれる。
【００２３】
次のステップ１２４では、上記ステップ１２２で読み取った２頁分の頁画像の各々を第１の表示部３０及び第２の表示部３２各々に表示する。
【００２４】
上記ステップ１２０〜ステップ１２４の処理が実行されることによって、画面保持ボタン１８が押圧操作されていないときには、第１の表示部３０及び第２の表示部３２各々に、頁指示用スライドボタン２２のスライドされた位置に対応する表示頁及びこの表示頁に連続する表示頁の２頁分の頁画像各々を表示することができる。
【００２５】
ステップ１１８では、図示を省略した電源スイッチがオフされて、処理終了が指示されたか否かを判別し、否定されると上記ステップ１００へ戻り、肯定されると、本ルーチンを終了する。
【００２６】
一方、上記ステップ１００で画面保持ボタン１８が押圧操作されていると判断されると、ステップ１０２において、第１の表示部３０に表示されている頁画像が変更されないように、第１の表示部３０の表示内容を固定する。
【００２７】
次のステップ１０４では、指示位置検出部３４から出力された信号を取り込んで、頁指示用スライドボタン２２の縦長領域２４上の位置を判断し、次のステップ１０６において、頁指示用スライドボタン２２の縦長領域２４上の位置に対応する表示頁の頁画像を記録メディア２８から読込む。次のステップ１０８では、上記ステップ１０６で読み取った頁画像を第２の表示部３２に表示する。
【００２８】
次のステップ１１０では、解除ボタン２０が押圧操作されたか否かを判別し、否定されると上記ステップ１００へ戻り、肯定されるとステップ１１２において、上記ステップ１０２の処理によって固定した第１の表示部３０に表示されている頁画像の固定を解除する。
【００２９】
次のステップ１１４では、上記ステップ１０８で第２の表示部３２に表示した頁画像に連続する前頁の頁画像を記録メディア２８から読み取り、次のステップ１１６において、読み取った頁画像を第１の表示部３０へ表示した後に、上記ステップ１１８へ進む。
【００３０】
上記ステップ１００〜ステップ１０８の処理が実行されることによって、画面保持ボタン１８が押圧操作されたときには、第１の表示部３０に表示されている頁画像が変更されないように制御し、第２の表示部３２にのみ頁指示用スライドボタン２２をスライドさせた位置に対応する表示頁の頁画像を表示することができる。
【００３１】
また、上記ステップ１１２〜ステップ１１６の処理が実行されることによって、解除ボタン２０が押圧操作されたときには、変更されないように固定された第１の表示部３０に表示されている頁画像の固定を解除して、第１の表示部３０と第２の表示部３２に、頁指示用スライドボタン２２の位置に対応する表示頁とこの表示頁に連続する表示頁の２頁分の頁画像を表示することができる。
【００３２】
以上説明したように、本実施の形態の電子ブック１０では、予め定められた縦長領域２４を所定方向にスライド可能な頁指示用スライドボタン２２を電子ブック１０に設けて、ユーザが頁指示用スライドボタン２２をスライドさせた位置に応じた表示頁及びこの表示頁に連続する表示頁各々に対応する２頁分の頁画像各々を、第１の表示部３０及び第２の表示部３２の各々へ表示するので、ユーザが指定する頁の頁画像を表示することができ、あたかも書籍の頁をめくっているかのような操作感を提供することができる。従って、簡易な操作で頁画像を表示することができ、操作性を向上することができる。
【００３３】
また、画面保持ボタン１８が押圧操作されたときには、第１の表示部３０に表示されている頁画像が変更されないように固定したまま、第２の表示部３２に頁指示用スライドボタン２２の位置に応じた頁画像を表示することができるので、書籍の端を押さえつつ頁をめくったときと同様の操作感を提供することができる。
【００３４】
なお、本実施の形態では、頁指示用スライドボタン２２は、第２部材１４上の第２の表示部と同一面の近傍に設けられるものとして説明したが、第２部材１４の側面に設けられるようにしてもよい。また、更に、第２部材１４の側面かつ第２の表示部３２に表示する頁画像の上下方向と同一方向に頁指示用スライドボタン２２をスライド可能に設けるようにしてもよい。このようにすれば、電子ブック１０を見開き状態で保持したままで、書籍の頁をめくるかのような操作によって、容易に表示する頁画像を変更することができるので、操作性を向上することができる。
【００３５】
また、本実施の形態では、表示されている頁画像を保持する対象となる表示部は第１の表示部３０であるとして説明したが、第２の表示部３２であってもよい。
【図面の簡単な説明】
【００３６】
【図１】本発明の実施の形態に係る電子ブックを示す斜視図である。
【図２】本発明の実施の形態に係る電子ブックの電気系の構成を示すブロック図である。
【図３】本発明の実施の形態に係る電子ブックの制御部で実行される処理ルーチンを示すフローチャートである。
【符号の説明】
【００３７】
１０  電子ブック
１８  画面保持ボタン
２２  頁指示用スライドボタン
２８  記録メディア
３０  第１の表示部
３２  第２の表示部
【図１】
2006113345.tif 000003
【図２】
2006113345.tif 000004
【図３】
2006113345.tif 000005